(57)【要約】【課題】  オーミックな電極、相互位置関係を容易に出すことができる脳磁計測装置のファントムを実現する。【解決手段】    脳磁計測装置に使用されるファントムにおいて、  表面が導電性を有する導電性基板と、この導電性基板の一方の面に設けられた少なくとも１個の双極子ユニットとを具備したことを特徴とする脳磁計測装置のファントムである。【選択図】                    図１
2006346158.tif 000002
【特許請求の範囲】
【請求項１】
脳磁計測装置に使用されるファントムにおいて、
表面が導電性を有する導電性基板と、
この導電性基板の一方の面に設けられた少なくとも１個の双極子ユニットと
を具備したことを特徴とする脳磁計測装置のファントム。
【請求項２】
脳磁計測装置に使用される脳磁計測装置のファントムにおいて、
脳磁計測装置のセンサ部に挿入可能な形状を有し表面が導電性を有する導電性基板と、
この導電性基板の一方の面の近接する２箇所に設けられた導電接続点と
一端がこの導電接続点にそれぞれ接続されこの導電接続点間を結ぶ線間に平行に且つ同一直線上に配置された２個の電極と
この２本の電極の他端にそれぞれ一端が接続されツイスト状か近接して平行に導出された２本の導出線と
を有する少なくとも１個の双極子ユニットと
を具備したことを特徴とする脳磁計測装置のファントム。
【請求項３】
前記電極は前記導電性基板の接線方向に配置されたこと
を特徴とする請求項１又は請求項２記載の脳磁計測装置のファントム。
【請求項４】
前記電極は前記導電性基板の法線方向に配置されたこと
を特徴とする請求項１又は請求項２記載の脳磁計測装置のファントム。
【請求項５】
前記導電性基板は、導電性プラスチックが使用されたこと
を特徴とする請求項１乃至請求項４の何れかに記載の脳磁計測装置のファントム。
【請求項６】
前記導電性基板は、表面に導電体が塗布あるいはメッキあるいは蒸着あるいはスパッタされたこと
を特徴とする請求項１乃至請求項４の何れかに記載の脳磁計測装置のファントム。
【請求項７】
前記導電性基板は、円形形状であること
を特徴とする請求項１乃至請求項６の何れかに記載の脳磁計測装置のファントム。
【請求項８】
前記導電性基板は、半円形形状であること
を特徴とする請求項１乃至請求項６の何れかに記載の脳磁計測装置のファントム。
【請求項９】
前記導電性基板は、脳を模った形状であること
を特徴とする請求項１乃至請求項６の何れかに記載の脳磁計測装置のファントム。
【請求項１０】
前記導電接続点は、導電性接着剤が使用されたこと
を特徴とする請求項１乃至請求項９の何れかに記載の脳磁計測装置のファントム。
【請求項１１】
前記導線と導出線とは、プリント板配線が使用されたこと
を特徴とする請求項１乃至請求項１０の何れかに記載の脳磁計測装置のファントム。
【請求項１２】
前記導電性基板への電流注入部分が分散されるように前記導電性基板との接続面積が所定の広さを有する導電接続点
を具備したことを特徴とする請求項１乃至請求項１１の何れかに記載の脳磁計測装置のファントム。
【請求項１３】
前記導電性基板の回転角度が読み取れる回転角度読取装置
を具備したことを特徴とする請求項１乃至請求項１２の何れかに記載の脳磁計測装置のファントム。
【請求項１４】
前記導電性基板の変位が読み取れる変位読取装置
を具備したことを特徴とする請求項１乃至請求項１３の何れかに記載の脳磁計測装置のファントム。
【請求項１５】
前記複数の双極子ユニットの電極は前記導電性基板の同心円状に配置されたこと
を特徴とする請求項１乃至請求項１４の何れかに記載の脳磁計測装置のファントム。
【請求項１６】
前記複数の双極子ユニットの電極は前記導電性基板の半径方向に配置されたこと
を特徴とする請求項１乃至請求項１５の何れかに記載の脳磁計測装置のファントム。
【請求項１７】
前記電極は、前記導電性基板に平行な面内で且つ互いに平行な複数の導線を有すること
を特徴とする請求項１乃至請求項１６の何れかに記載の脳磁計測装置のファントム。
【請求項１８】
前記電極は、前記導電性基板に平行で且つ所定幅の導線を有すること
を特徴とする請求項１乃至請求項１６の何れかに記載の脳磁計測装置のファントム。
【発明の詳細な説明】
【技術分野】
【０００１】
本発明は、脳磁計等の生体磁気計測装置において、校正や機器の状態を観察するために用いられる電流双極子を模擬する脳磁計測装置のファントムに関するものである。
【背景技術】
【０００２】
脳磁計測装置のファントムに関連する先行技術文献としては次のようなものがある。
【０００３】
【特許文献１】特開２００４−１５４３１１号公報
【０００４】
図１４は従来より一般に使用されている従来例の構成説明図である。
図において、１は非磁性体の中空球状容器、２は中空部分に満たされた導電体で生理食塩水またはそれに類する導電率を持った固体または液体、３は導電体に電流を流すための絶縁導線でツイストペアまたは平行に配線され、中空球状容器１の外部に導出される。
４は絶縁被覆を取り除いた先端の電流出入部が左右対称に配置されるようにされた電極、５は導線３に電流を供給する電流源で通常は交流電流を注入する。
【０００５】
以上の構成において、図１５により動作を説明する。
電流を通じることにより、中空球状容器１内の導電部分に分布電流６が流れると同時に、電極部４には矢印７で示す電流が流れる。
特許文献１にも説明されているように、これは脳神経の活動電流を模した電流双極子と見なすことができる。
【０００６】
このような、電極４を中空球状容器１内の複数点の異なった位置に設け、独立な電源で駆動することにより、脳内の複数の電流双極子を模すことができる。
一方、脳磁計はこのような電流双極子が発する磁場分布を計測することで、電流双極子の位置や強さを推定する装置であるため、ファントム内の電流双極子を模した電極の相対位置関係や電流の強さを知っておけば、脳磁計で推定した電流双極子の位置や電流値を照合、校正、あるいは正しく推定しているかの動作確認をすることができる。
【０００７】
図１６は電流を流したときの磁場の発生の様子を側面から見たとき（ａ）と上方から見たとき（ｂ）で表現している。
８は電流双極子を模した電流に伴う磁場の発生の様子で、９はその磁場の強度を等磁場線図で表したものである。
【０００８】
導電体内を流れる分布電流は、電流双極子の近傍から見ると十分距離が離れていることと、分布電流から発生する磁場の対称性から球の表面上では殆ど無視できる。
図１７は脳磁計のセンサでファントムを使う様子を模式的に示すもので、磁気センサアレイ１０にファントム１１を挿入し、磁場分布を観測することで、９のような等磁場線図を得ることができる。
【発明の開示】
【発明が解決しようとする課題】
【０００９】
このような装置においては、以下の間題点がある。
導電体として生理食塩水等の水を使う場合、電極４と水との間に界面電位が発生して、極めて薄い電気２重層を形成する。
また、電流を流すことで電気分解が生じ酸素、水素等を成分とする気体の薄い層が電極４の周囲に形成される。この層（界面）は電極４と生理食塩水とのオーミックな接触を妨げるため、電圧に比例した電流が流れないという問題点がある。
【００１０】
導電体が固体の場合、固体中の導電率を均一に出来るかが問題である。また、電極４が立体構造をしているため、複数の電極４を収める場合や、外部との位置関係を正確に行うのが難しい、という問題点がある。
【００１１】
一方、上記のファントム１１は脳内の活動電流は錐体細胞群の同時発火に基づく細胞内電流を電流双極子で模したものであるが、細胞群が分布的に発火する場合、すなわち広がりをもった電流を電流双極子で模擬することは困難である。
すなわち、広がりのある磁場源推定を検証できるファントムが無いのが実情である。
【００１２】
本発明の目的は、上記の課題を解決するもので、立体構造をなす電流双極子ファントムのかかる問題点を解決するためになされたもので、１）生理食塩水等の導電材を用いる場合の電気分解や界面電位等の問題点を無くしたオーミックな電極の実現、２）複数点の電流双極子を平面状で実現し、相互位置関係を容易に出すことができる構造、３）広がりのある電流源も模すことができる脳磁計測装置のファントムを提供することにある。
【課題を解決するための手段】
【００１３】
このような課題を達成するために、本発明では、請求項１の脳磁計測装置のファントムにおいては、
脳磁計測装置に使用されるファントムにおいて、
表面が導電性を有する導電性基板と、この導電性基板の一方の面に設けられた少なくとも１個の双極子ユニットとを具備したことを特徴とする。
【００１４】
本発明の請求項２の脳磁計測装置のファントムにおいては、
脳磁計測装置に使用される脳磁計測装置のファントムにおいて、
脳磁計測装置のセンサ部に挿入可能な形状を有し表面が導電性を有する導電性基板と、この導電性基板の一方の面の近接する２箇所に設けられた導電接続点と一端がこの導電接続点にそれぞれ接続されこの導電接続点間を結ぶ線間に平行に且つ同一直線上に配置された２個の電極とこの２本の電極の他端にそれぞれ一端が接続されツイスト状か極めて近接して平行に導出された２本の導出線とを有する少なくとも１個の双極子ユニットを具備したことを特徴とする脳磁計測装置のファントムを具備したことを特徴とする。
【００１５】
本発明の請求項３の脳磁計測装置のファントムにおいては、請求項１又は請求項２記載の脳磁計測装置のファントムにおいて、
前記電極は前記導電性基板の接線方向に配置されたことを特徴とする。
【００１６】
本発明の請求項４の脳磁計測装置のファントムにおいては、請求項１又は請求項２記載の脳磁計測装置のファントムにおいて、
前記電極は前記導電性基板の法線方向に配置されたことを特徴とする。
【００１７】
本発明の請求項５の脳磁計測装置のファントムにおいては、請求項１乃至請求項４の何れかに記載の脳磁計測装置のファントムにおいて、
前記導電性基板は、導電性プラスチックが使用されたことを特徴とする。
【００１８】
本発明の請求項６の脳磁計測装置のファントムにおいては、請求項１乃至請求項４の何れかに記載の脳磁計測装置のファントムにおいて、
前記導電性基板は、表面に導電体が塗布あるいはメッキあるいは蒸着あるいはスパッタされたことを特徴とする。
【００１９】
本発明の請求項７の脳磁計測装置のファントムにおいては、請求項１乃至請求項６の何れかに記載の脳磁計測装置のファントムにおいて、
前記導電性基板は、円形形状であることを特徴とする。
【００２０】
本発明の請求項８の脳磁計測装置のファントムにおいては、請求項１乃至請求項６の何れかに記載の脳磁計測装置のファントムにおいて、
前記導電性基板は、半円形形状であることを特徴とする。
【００２１】
本発明の請求項９の脳磁計測装置のファントムにおいては、請求項１乃至請求項６の何れかに記載の脳磁計測装置のファントムにおいて、
前記導電性基板は、脳を模った形状であることを特徴とする。
【００２２】
本発明の請求項１０の脳磁計測装置のファントムにおいては、請求項１乃至請求項９の何れかに記載の脳磁計測装置のファントムにおいて、
前記導電接続点は、導電性接着剤が使用されたことを特徴とする。
【００２３】
本発明の請求項１１の脳磁計測装置のファントムにおいては、請求項１乃至請求項１０の何れかに記載の脳磁計測装置のファントムにおいて、
前記導線と導出線とは、プリント板配線が使用されたことを特徴とする。
【００２４】
本発明の請求項１２の脳磁計測装置のファントムにおいては、請求項１乃至請求項１１の何れかに記載の脳磁計測装置のファントムにおいて、
前記導電性基板への電流注入部分が分散されるように前記導電性基板との接続面積が所定の広さを有する導電接続点を具備したことを特徴とする。
【００２５】
本発明の請求項１３の脳磁計測装置のファントムにおいては、請求項１乃至請求項１２の何れかに記載の脳磁計測装置のファントムにおいて、
前記導電性基板の回転角度が読み取れる回転角度読取装置を具備したことを特徴とする。
【００２６】
本発明の請求項１４の脳磁計測装置のファントムにおいては、請求項１乃至請求項１３の何れかに記載の脳磁計測装置のファントムにおいて、
前記導電性基板の変位が読み取れる変位読取装置を具備したことを特徴とする。
【００２７】
本発明の請求項１５の脳磁計測装置のファントムにおいては、請求項１乃至請求項１４の何れかに記載の脳磁計測装置のファントムにおいて、
前記複数の双極子ユニットの電極は前記導電性基板の同心円状に配置されたことを特徴とする。
【００２８】
本発明の請求項１６の脳磁計測装置のファントムにおいては、請求項１乃至請求項１５の何れかに記載の脳磁計測装置のファントムにおいて、
前記複数の双極子ユニットの電極は前記導電性基板の半径方向に配置されたことを特徴とする。
【００２９】
本発明の請求項１７の脳磁計測装置のファントムにおいては、請求項１乃至請求項１6の何れかに記載の脳磁計測装置のファントムにおいて、
前記電極は、前記導電性基板に平行な面内で且つ互いに平行な複数の導線を有することを特徴とする。
【００３０】
本発明の請求項１８の脳磁計測装置のファントムにおいては、請求項１乃至請求項１６の何れかに記載の脳磁計測装置のファントムにおいて、
前記電極は、前記導電性基板に平行で且つ所定幅の導線を有することを特徴とする。
【発明の効果】
【００３１】
本発明の請求項１又は請求項２によれば、次のような効果がある。
導電性基板が設けられたので、帰還路を平面にでき、球体状の導電物質内に電極を配置する必要がなくなったため、簡単にかつ精度よく電流双極子を形成することができる脳磁計測装置のファントムが得られる。
複数点の電極と電源を用意することで、容易に相対位置関係がはっきりした双極子アレイを形成することもできる脳磁計測装置のファントムが得られる。
【００３２】
本発明の請求項３によれば、次のような効果がある。
電極は導電性基板の接線方向に配置されたので、実際の脳の錐体細胞群の配列が接線方向に並ぶ状況を模擬できる脳磁計測装置のファントムが得られる。
【００３３】
本発明の請求項４によれば、次のような効果がある。
電極は導電性基板の法線方向に配置されたので、実際の脳の錐体細胞群の配列が法線方向に並ぶ状況を模擬できる脳磁計測装置のファントムが得られる。
【００３４】
本発明の請求項５によれば、次のような効果がある。
導電性基板は、導電性プラスチックが使用されたので、軽量で確実な導電性が実現できる脳磁計測装置のファントムが得られる。
【００３５】
本発明の請求項６によれば、次のような効果がある。
導電性基板は、表面に導電体が塗布またはメッキ、蒸着、スパッタされたので、安価で導電性が実現できる脳磁計測装置のファントムが得られる。
【００３６】
本発明の請求項７によれば、次のような効果がある。
導電性基板は、円形形状であるので、脳磁計の磁場源推定モデルが球モデルである場合に、計算の数値を評価するのに適する脳磁計測装置のファントムが得られる。
【００３７】
本発明の請求項８によれば、次のような効果がある。
導電性基板は、半円形形状であるので、脳の形状が半球に近い形状であることから、球モデルで計算する磁場源推定方による結果を評価するのに適する脳磁計測装置のファントムが得られる。
【００３８】
本発明の請求項９によれば、次のような効果がある。
導電性基板は、脳を模った形状であるので、脳磁計にフィットし易い脳磁計測装置のファントムが得られる。
【００３９】
本発明の請求項１０によれば、次のような効果がある。
導電接続点は、導電性接着剤が使用されたので、導電接続点が容易に形成し易い脳磁計測装置のファントムが得られる。
【００４０】
本発明の請求項１１によれば、次のような効果がある。
導線と導出線とは、プリント板配線が使用されたので、多点の電流双極子の相対位置関係の精度が高くできる脳磁計測装置のファントムが得られる。
【００４１】
本発明の請求項１２によれば、次のような効果がある。
導電性基板への電流注入部分が分散されるように、導電性基板との接続面積が所定の広さを有する導電接続点が設けられたので、広がった電流源を模すことが可能となり、脳細胞群が分布的に発火する場合、すなわち広がりをもった電流を模擬することができる脳磁計測装置のファントムが得られる。
【００４２】
本発明の請求項１３によれば、次のような効果がある。
導電性基板の回転角度が読み取れる回転角度読取装置が設けられたので、導電性基板の回転角度を予め知ることで、脳磁計の信号推定で回転の推定精度確認を行うことが出来る脳磁計測装置のファントムが得られる。
【００４３】
本発明の請求項１４によれば、次のような効果がある。
導電性基板の変位が読み取れる変位読取装置が設けられたので、導電性基板の変位を予め知ることで、脳磁計の信号推定で変位の推定精度確認を行うことが出来る脳磁計測装置のファントムが得られる。
【００４４】
本発明の請求項１５によれば、次のような効果がある。
複数の双極子ユニットの電極は導電性基板の同心円状に配置されたので、球モデル上の同心円上にある複数の電流双極子が同時にあるいは個々に発火した場合の推定結果の相互の位置関係を検証するのに適する脳磁計測装置のファントムが得られる。
【００４５】
本発明の請求項１６によれば、次のような効果がある。
複数の双極子ユニットの電極は導電性基板の半径方向に配置されたので、球モデル上の半径方向上に並ぶ複数の電流双極子が同時にあるいは個々に発火した場合の推定結果の相互の位置関係を検証するのに適する脳磁計測装置のファントムが得られる。
【００４６】
本発明の請求項１７によれば、次のような効果がある。
電極は、導電性基板に平行な面内で且つ互いに平行な複数の導線を有するので、電極部が接線方向に平面状に分布しているため、電流ダイポールが広がった分布電流を模擬することができる。
電極部内では導電性基板の接線方向に電流が均一に分布して流れるため、あたかも多数の電極が接線方向に並んでいるようになる。
従って、生体の脳神経が分布して興奮する様子が、この構成で模擬することが可能となる。
【００４７】
本発明の請求項１８によれば、次のような効果がある。
電極は、導電性基板に平行で且つ所定幅の導線を有するので、電極部が接線方向に平面状に分布しているため、電流ダイポールが広がった分布電流を模擬することができる。
電極部内では導電性基板の接線方向に電流が均一に分布して流れるため、あたかも多数の電極が接線方向に並んでいるようになる。
従って、生体の脳神経が分布して興奮する様子が、この構成で模擬することが可能となる。
【発明を実施するための最良の形態】
【００４８】
以下本発明を図面を用いて詳細に説明する。
図１は本発明の一実施例の要部構成説明図で、（ａ）は正面図、（ｂ）は側面図である。
図において、図１４と同一記号の構成は同一機能を表す。
以下、図１４との相違部分のみ説明する。
【００４９】
図１に面状の抵抗体に結線を接続し、電流双極子を模したファントムの構成例を示す。
図中１２は表面または全体が均一な電気抵抗を示す円形の導電性基板で、導電性プラスチックや表面に導電体を塗布またはメッキ、蒸着して得ることができる。
必ずしも円形でなく半円または円弧を含む円の一部の形状でも良く、脳を模った形状でも良い。要するに、脳磁計測装置のセンサ部に挿入可能な形状であれば良い。
【００５０】
１３は導電面であり、１４は表面に先端の絶縁層が露出し、電極４を構成する導出線で、必ずしもツイストペアでなく、平行導線またはプリント板の配線でもよい。
１５は導電性基板１２の一方の面の近接する２箇所に設けられた導電接続点である。
この場合は、導電接続点１５は、導電性接着剤が使用されている。
導電接続点１５付近の導出線１４は、電接続点１５間を結ぶ線間に平行に且つ同一直線上に配置され互いに反対方向に結線されて電極４が構成される。
【００５１】
以上の構成において、脳磁計に本発明のファントムを挿入し、導出線１４に電流を流すことにより、脳磁計で推定した電流双極子の位置や電流値を照合、校正、あるいは正しく推定しているかの動作確認をすることができる。
【００５２】
この結果、
脳磁計では法線方向の近接した磁界を効率よく検知する。しかし、電流双極子を模した部分以外の分布的に流れる帰還電流が作る磁界は非常に弱いことから電流双極子部分のみ検出することになる。つまり帰還路の形状は必ずしも球でなくてもよい。
【００５３】
本実施例では、導電性基板１２が設けられたので、帰還路を平面にでき、球体状の導電物質内に電極を配置する必要がなくなったため、簡単にかつ精度よく電流双極子を形成することができる脳磁計測装置のファントムが得られる。
複数点の電極４と電源５を用意することで、容易に相対位置関係がはっきりした双極子アレイを形成することもできる脳磁計測装置のファントムが得られる。
【００５４】
導電性基板１２は、導電性プラスチックが使用されたので、軽量で確実な導電性が実現できる脳磁計測装置のファントムが得られる。
【００５５】
導電性基板１２は、表面に導電体が塗布またはメッキ、蒸着されたので、安価で導電性が実現できる脳磁計測装置のファントムが得られる。
【００５６】
導電性基板１２は、脳を模った形状にすれば、脳磁計にフィットし易い脳磁計測装置のファントムが得られる。
【００５７】
導電接続点１５は、導電性接着剤が使用されたので、導電接続点１５が容易に形成し易い脳磁計測装置のファントムが得られる。
【００５８】
図２は、本発明の他の実施例の要部構成説明である。
本実施例においては、電極４と導出線１４との組み合わせを、導電面１３に接続する図１の構成とは異なり、プリント基板上にフォトリソグラフィ等で精密に平行配線した配線パターンを導電の面１３に接続するようにしたものである。
【００５９】
図において、１６はプリント基板等の配線基板で、１７は図１の導出線１４に相当する配線パターンでプリント基板１６上に設けられ、平行配線パターン１７１，１７２で往復の配線がされている。
１８は導電層１９を表面に有する導電基板で、２０は配線基板１６の配線面と１９の導電層を接続するスルーホールで、接続は導電性接着剤２０１をスルーホール１９内に満たすことでビアホールとする。
【００６０】
この結果、電極４と導出線１７とは、プリント板配線が使用されたので、半導体プロセスにより多点の電流双極子が形成できるので、多点の電流双極子の相対位置関係の精度が高くできる脳磁計測装置のファントムが得られる。
【００６１】
図３は本発明の他の実施例の要部構成説明、図４は図３の要部拡大構成説明図である。
本実施例においては、導電接続点が大きくされた実施例である。
通常、電流双極子を模す場合、ポイントに近い導電接続点１５で導電性接着剤は出来るだけ小さい点になるように接続するが、導電接続点を積極的に大きくして分布電流が導電面に流れるようにした実施例である。
【００６２】
図において、２１は所定の分布サイズの導電接続部である。
図４に示す如く、導電接続部２１は拡大されている。図４において、矢印２２，２３は電流の流れ方を示したもので、分布的に流れる様子を示している。
【００６３】
この結果、導電性基板１２への電流注入部分２１が分散されるように、導電性基板１２との接続面積が所定の広さを有する導電接続点２１が設けられたので、広がった電流源を模すことが可能となり、脳細胞群が分布的に発火する場合、すなわち広がりをもった電流を模擬することができる脳磁計測装置のファントムが得られる。
【００６４】
図５は本発明の他の実施例の要部構成説明で、（ａ）は正面図、（ｂ）は（ａ）の側側面図である。
本実施例においては、複数の電流双極子Ａ，Ｂ……を接続する例である。
この場合は、２組の電流双極子Ａ，Ｂを示す。
【００６５】
互いに独立な電流源５Ａ，５Ｂを接続することで複数電流源の推定確認を行うことが出来る。
また、電流双極子相互の位置関係を予め知っておくことで、推定位置の相対的位置精度を知ることができる。複数の電流双極子は円の中心に向かって配置するか、同心円状の位置に配置する。
なお、同時に動作させない場合は、信号源は複数電流双極子Ａ，Ｂ……のそれぞれに切換え器を使って接続することで、位置の異なる点の電流双極子を動作させることができる。
【００６６】
図６は、本発明の他の実施例の要部構成説明である。
本実施例においては、ファントムを回転動作させる構成例である。
半円形の導電性基板３１を有するファントム３０は角度読み取りができる回転台座３２に固定され、回転台座３２のシャフト３３を、矢印３４に示す如く、回転させることで読み取り可能な任意の角度だけ回転させることができる。
【００６７】
この結果、この構成により、導電性基板３１の電流双極子の回転角度を予め知ることで、脳磁計の信号推定で回転の推定精度確認を行うことが出来る脳磁計測装置のファントムが得られる。
【００６８】
図７は、本発明の他の実施例の要部構成説明である。
本実施例においては、ファントムを半円形の中心を回転中心として回転動作させる構成例である。
半円形の導電性基板３１を有するファントム３０は角度読み取りができる回転台座４１に固定され、回転台座４１のシャフト４２を、矢印４３に示す如く、回転させることで読み取り可能な任意の角度だけ回転させることができる。
【００６９】
この結果、この構成により、導電性基板３１の電流双極子の回転角度を予め知ることで、脳磁計の信号推定で回転の推定精度確認を行うことが出来る脳磁計測装置のファントムが得られる。
【００７０】
図８は、本発明の他の実施例の要部構成説明である。
本実施例においては、ファントムを変位動作させる構成例である。
半円形の導電性基板３１を有するファントム３０は変位動作ができる変位動作台座５１に固定され、変位動作台座５１のシャフト５２を、矢印５３に示す如く、ＸＹＺ方向に変位させることで読み取り可能な任意の変位だけ変位させることができる。
【００７１】
この結果、この構成により、導電性基板３１の電流双極子の変位を予め知ることで、脳磁計の信号推定で変位の推定精度確認を行うことが出来る脳磁計測装置のファントムが得られる。
【００７２】
図９は、本発明の他の実施例の要部構成説明図である。
本実施例においては、電流双極子を法線方向に模擬した実施例である。
図において、電極４は導電性基板１２の法線方向に配置されている。
本実施例においては、脳の錐体細胞が法線の向きに配列されている場合、脳磁計では感度がないとされているが、これを試験的に確認することができる脳磁計測装置のファントムが得られる。
【００７３】
図１０は、本発明の他の実施例の要部構成説明図、図１１は図１０の要部拡大構成説明図である。
本実施例においては、電極６１は、導電性基板１２に平行な面内で且つ互いに平行な複数の導線を有する。
６２は、導電接続部である。
【００７４】
要するに本実施例においては、電流双極子部分を模擬する接線方向の電極６１を複数の導線で構成し導電性基板１２に接続した構成例である。
導電線の両端は導電性基板１２に、導電性接着剤からなる導電接続部６２で導電接続されるものとする。導電線内の導電率は均一であるものとする。
【００７５】
電極６１が接線方向に平面状に分布しているため、電流ダイポールが広がった分布電流を模擬することができる。
従って、生体の脳神経が分布して興奮する様子が、この構成で模擬することが可能となる。
【００７６】
図１２は、本発明の他の実施例の要部構成説明図、図１３は図１２の要部拡大構成説明図である。
本実施例においては、電極６６は、導電性基板１２に平行で且つ所定幅の導線を有する。
６７は、導電接続部である。
【００７７】
要するに本実施例においては、電流双極子部分を模擬する接線方向の電極６１を幅広にして導電性基板１２に接続した構成例である。
電極６６は有限の幅（Ｗ)をもち、接線方向に長さ（Ｌ）だけ左右に伸びる平面状の導電線である。
導電線の両端は導電性基板１２に、導電性接着剤からなる導電接続部６７で導電接続されるものとする。導電線内の導電率は均一であるものとする。
【００７８】
電極６６が接線方向に平面状に分布しているため、電流ダイポールが広がった分布電流を模擬することができる。
電極６６内では導電性基板１２の接線方向に電流が均一に分布して流れるため、あたかも多数の電極が接線方向に並んでいるようになる。
従って、生体の脳神経が分布して興奮する様子が、この構成で模擬することが可能となる。
【００７９】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００８０】
【図１】本発明の一実施例の要部構成説明図で、（ａ）は正面図、（ｂ）は側面図である。
【図２】本発明の他の実施例の要部構成説明である。
【図３】本発明の他の実施例の要部構成説明である。
【図４】図３の要部拡大構成説明図である。
【図５】本発明の他の実施例の要部構成説明で、（ａ）は正面図、（ｂ）は側面図である。
【図６】本発明の他の実施例の要部構成説明である。
【図７】本発明の他の実施例の要部構成説明である。
【図８】本発明の他の実施例の要部構成説明である。
【図９】本発明の他の実施例の要部構成説明である。
【図１０】本発明の他の実施例の要部構成説明である。
【図１１】図１０の要部拡大構成説明図である。
【図１２】本発明の他の実施例の要部構成説明である。
【図１３】図１２の要部拡大構成説明図である。
【図１４】従来より一般に使用されている従来例の構成説明図である。
【図１５】図１４の動作説明図である。
【図１６】図１４の動作説明図である。
【図１７】図１４の動作説明図である。
【符号の説明】
【００８１】
１      中空球状容器
２      導電体
３      絶縁導線
４      電極
４Ａ    電極
４Ｂ    電極
５      電流源
５Ａ    電流源
５Ｂ    電流源
６      分布電流
７      矢印
８      磁場
９      等磁場線図
１０    磁気センサアレイ
１１    ファントム
１２    導電性基板
１３    導電面
１４    導出線
１４Ａ  導出線
１４Ｂ  導出線
１５    導電接続点
１５Ａ  導電接続点
１５Ｂ  導電接続点
１６    配線基板
１７    配線パターン
１７１  配線パターン
１７２  配線パターン
１８    導電基板
１９    導電層
２０    スルーホール
２０１  導電性接着剤
２１    導電接続部
２２    矢印
２３    矢印
３０    ファントム
３１    導電性基板
３２    回転台座
３３    シャフト
３４    矢印
４１    回転台座
４２    シャフト
４３    矢印
５１    変位動作台座
５２    シャフト
５３    矢印
６１    電極
６２    導電接続部
６６    電極
６７    導電接続部
【図１】
2006346158.tif 000003
【図２】
2006346158.tif 000004
【図３】
2006346158.tif 000005
【図４】
2006346158.tif 000006
【図５】
2006346158.tif 000007
【図６】
2006346158.tif 000008
【図７】
2006346158.tif 000009
【図８】
2006346158.tif 000010
【図９】
2006346158.tif 000011
【図１０】
2006346158.tif 000012
【図１１】
2006346158.tif 000013
【図１２】
2006346158.tif 000014
【図１３】
2006346158.tif 000015
【図１４】
2006346158.tif 000016
【図１５】
2006346158.tif 000017
【図１６】
2006346158.tif 000018
【図１７】
2006346158.tif 000019